(57)【要約】      （修正有）【課題】簡単な構成で通気性、クッション性に優れ、万人にフィットして快適に睡眠することができる枕を提供する。【解決手段】枕芯材２は、その表面に、枕頭部４から枕首部５に向かって、徐々に上り勾配の傾斜が設けられ、折曲部６の反対部分が恰も一つの山状に盛り上がった１つのこぶ部９を有し、こぶ部９と折曲部６との間には、空洞部１０が形成されている。また、枕芯材２の表面には、ほぼ全面に亘って水平半円柱状の凸部７が複数突設されており、これらの凸部７同士の間には、それぞれ水平溝状の凹部８が設けられている。【選択図】図１
0003181090.tif 000002
【実用新案登録請求の範囲】
【請求項１】
合成樹脂フォームの弾性力のある単一の素材で枕芯材が形成される枕であって、
前記枕芯材の表側に、横方向に円柱状に突設された複数の凸部と、この凸部同士の間に該凸部と並行に溝状に設けられた複数の凹部と、頚部が載置される部分に設けられる山状に盛り上がった単一のこぶ部とを有し、
前記こぶ部の下には、横方向に貫通する空洞部が形成されていることを特徴とする枕。
【請求項２】
前記枕芯材は、前記空洞部から下方に延びて該枕芯材の裏面に達する切断面を有していることを特徴とする請求項１に記載の枕。
【考案の詳細な説明】
【技術分野】
【０００１】
本考案は、就寝時等に使用され、フィット性、通気性、クッション性に優れた枕に関する。
【背景技術】
【０００２】
枕は、就寝の間、頭部や頚部を支えるもので、快適性を持たせ、健康を促進するために、従来から様々な形状や素材の枕が用いられている。その中で、代表的な枕として、特許文献１に示すような合成樹脂フォームを使用した二こぶ形状の枕が提案されている。
【先行技術文献】
【特許文献】
【０００３】
【特許文献１】特開平７−１６３４４８号公報
【考案の概要】
【考案が解決しようとする課題】
【０００４】
この二こぶ形状の枕は、奥行き方向に波形状の二つの山部を有しており、この形状により人の頚部から後頭部にかけてのＳ字ラインにフィットするようになっている。ところが、人の頚部や後頭部の形状は千差万別で、人によってこのＳ字ラインの形状は様々であり、従って、二こぶ形状の枕を使用すると、特に頭頂部側のこぶが障害となって万人にフィットさせることが難しいという問題点がある。
【０００５】
また、クッション性は、合成樹脂フォーム等、枕の素材機能そのものを利用したり、複合素材（他素材の充填物やスプリング等）を用いて出すのが一般的であるが、素材機能そのものを利用するだけではクッション性に限界があり、複合素材を用いるものにあっては、構造が複雑になってコストが嵩むという問題点がある。更に、合成樹脂フォームを使用した枕は、通気性が悪く、夏場には汗が溜まって使用者に不快な思いをさせるという欠点もある。
【０００６】
本考案は、上記したような問題点に鑑みなされたもので、その目的とするところは、簡単な構成で通気性、クッション性に優れ、万人にフィットして快適に睡眠することができる枕を提供することにある。
【課題を解決するための手段】
【０００７】
このような問題を解決するために、本考案の枕は、請求項１に記載したように、合成樹脂フォームの弾性力のある単一の素材で枕芯材（枕芯材２）が形成される枕（枕１）であって、前記枕芯材（枕芯材２）の表側に、横方向に円柱状に突設された複数の凸部（凸部７）と、この凸部（凸部７）同士の間に該凸部（凸部７）と並行に溝状に設けられた複数の凹部（凹部８）と、頚部が載置される部分に設けられる山状に盛り上がった単一のこぶ部（こぶ部９）とを有し、前記こぶ部（こぶ部９）の下には、横方向に貫通する空洞部（空洞部１０）が形成されていることを要旨とする。
【０００８】
つまり、本考案の枕は、頚部に当接する部分が枕芯材の表側に設けられた単一のこぶ部のみになっており、こぶ部の下には空洞部が設けられている。従って、頚部がこぶ部に載って荷重がかかると、空洞部が首筋に合わせてフレキシブルに連動し、頚部から後頭部にかけてのＳ字ラインを保持する。
【０００９】
更に、枕芯材の表側のほぼ全面は、凸部と凹部を設けることにより、単一の素材で枕芯材が形成されているにも拘らず、表面側はその下部側の層よりも柔らかい２段階の層となっており、下部側の層の方が、表面側の層よりも弾性力が大きくなっている。従って、枕に頚部及び頭部が載ると、表面側の層において、凸部は、頚部及び頭部を受け止めると共に凹部８空間に歪んで、頚部及び頭部の圧力を好適に分散する一方で、下部側の層にて頚部及び頭部をしっかりとサポートする。
【００１０】
このように構成され、このように作用する本考案の枕においては、人それぞれで千差万別な頚部及び後頭部の形状に拘らず、使用時にはＳ字ラインにぴったりとフィットすることが可能になる。その結果、万人にフィットして揉みほぐしにくい首の筋肉（斜角筋）をリラックスさせ、快適な睡眠を提供することができるという顕著な効果を奏する。
【００１１】
また、本考案の枕は、空洞部と、凸部及び凹部の作用により、複合素材を用いることなく、シンプルな構成で安価に、優れたクッション性を出すことができる。しかも、下部側の層は表面側の層よりも弾性力が大きい２段階の層としたので、頚部及び頭部を載せた時に過度に沈み込むことがなく、適度なクッション性を出すことも可能となる。
【００１２】
また、空洞部により湿気がこもりにくく、更に、凹部により頚部及び頭部と枕との間に熱がこもるのを防止するので、その結果、素材が合成樹脂フォームであっても、極めて通気性がよい枕を提供することが可能となる。即ち、合成樹脂フォームの弾性力を十分に活用しつつ、優れた通気性を確保することが可能になる。
【００１３】
ここで、枕芯材の構成は、次のようにすると更によい。即ち請求項２に記載の枕は、請求項１に記載の枕において、前記枕芯材（枕芯材２）は、前記空洞部（空洞部１０）から下方に延びて該枕芯材（枕芯材２）の裏面に達する切断面（切れ目６ａ）を有していることを要旨とする。
【００１４】
従って、このように構成される本考案の枕においては、枕に頚部及び頭部が載って荷重がかかると、それに応じて切断面が移動するので空洞部が収縮し易くなり、その結果、シンプルな構成で安価に、クッション性を更によくすることが可能になる。
【図面の簡単な説明】
【００１５】
【図１】本実施形態に係わる枕１の全体斜視図である。
【図２】本実施形態に係わる枕１の側面図である。
【図３】本実施形態に係わる枕１の使用状態を示す側面図である。
【考案を実施するための形態】
【００１６】
＜１．枕１の構成＞
以下に、本考案の枕１に係る実施形態を図面に基づき説明する。まず、枕１の構成について説明する。図１は、枕１の全体斜視図であり、図２は、枕１の側面図である。枕１は、平面視するとその全体が左右に横長の矩形状に形成された枕芯材２と、この枕芯材２を覆う二点鎖線で示すカバー体３とからなっている。
【００１７】
枕芯材２は、図１、２に示すように、一枚のシートを二つ折りにした形状を有しており、側面視すると略「つ」の字状に形成されている。図２において、左側（頭側）の枕頭部４は、その下面が頭側になるにつれて上方へ緩やかに湾曲して肉厚状に形成され、一方、右側（首側）の枕首部５は、枕頭部４の略半分程度の厚さの折曲部６を有し、この折曲部６は、その下面が首側になるにつれて上方へ枕頭部４の下面よりも大きく湾曲するように形成されている。
【００１８】
枕芯材２の表面は、図１に示すように、全面に亘って水平半円柱状の凸部７が複数突設されており、これらの凸部７同士の間には、それぞれ水平溝状の凹部８が設けられている。また、枕芯材２の表面は、上述した枕頭部４及び枕首部５下面の湾曲形状により、枕頭部４から枕首部５に向かって、徐々に上り勾配の傾斜が設けられており、折曲部６の反対部分が恰も一つの山状に盛り上がったこぶ部９を形成している。
【００１９】
図中、６ａは、折曲部６の先端となる切れ目であり、この切れ目６ａは、切り口が傾斜面に形成されて、その下縁部６ｂが枕頭部４の下縁部４ａと合致するように該枕頭部４の裏面に一連状に当接するようになっている。そして、この切れ目６ａが枕頭部４の裏面に当接することにより、枕首部５において、こぶ部９と折曲部６との間に側面視略楕円状の空洞部１０が一連形成されている。
【００２０】
枕芯材２は、クッション性を有する合成樹脂フォームの弾性力のある素材で形成するもので、例えば、軟質ポリウレタン、ポリエチレン、ポリプロビレン、ポリ塩化ビニル、エチレン酢酸ビニル共重合体、ラバー等の軟質合成樹脂発泡体が挙げられる。なお、これらの軟質合成樹脂発泡体に、ナイロン、ポリエステル、アクリロニトリルなどの化学繊維綿、木綿、麻、パームロック、羊毛などの天然繊維綿を組み合わせて枕芯材２としてもよい。
【００２１】
＜２．枕１の作用効果＞
本考案の枕１は、上記のように構成されているので、使用時には、図３に示すように、頚部に当接する部分がこぶ部９のみになっている。そして、こぶ部９の下には空洞部１０が設けられているので、これにより、枕１は、頚部がこぶ部９に載って負荷がかかると、空洞部１０がエアースプリングのように首筋に合わせてフレキシブルに連動し、頚部から後頭部にかけてのＳ字ライン（以下、単に「Ｓ字ライン」ともいう）を保持する。
【００２２】
更に、枕芯材２の表面側は、凸部７と凹部８により、その下部側の層よりも柔らかい層となっており、つまり、枕芯材２は、１つの素材にも拘らず、表面は柔らかい「柔らか層」、下はしっかりとした「しっかり層」の２段階構造で、弾性力がそれぞれ異なっている（「柔らか層」より「しっかり層」の弾性力が大きい）。これにより、枕１に頚部及び頭部が載ると、凸部７は、頚部及び頭部を受け止め、この凸部７間に形成された凹部８空間に歪んで、頚部及び頭部の圧力を「柔らか層」にて好適に分散する一方で、凸部７及び凹部８の下部側の「しっかり層」にて頚部及び頭部をしっかりとサポートする。なお、図３は、枕１の使用状態を示す側面図である。
【００２３】
このように作用する本考案の一こぶ形状の枕１は、頚部及び頭部を載せると、後頭部が枕頭部４の傾斜（頭頂部側への緩やかな下り傾斜）に沿ってぴったりとフィットすると共に、頚部がこぶ部９の山形状に沿ってぴったりとフィットする。つまり、人によって千差万別なＳ字ラインであっても、本考案の枕１は、上述した二こぶ形状の枕のように、後頭部の頂部付近が頭頂部側のこぶに引っ掛かって、枕と後頭部に隙間ができるような不都合がなく、即ち、人それぞれの頚部や後頭部の形状に拘らず、Ｓ字ラインにぴったりとフィットすることが可能になる。そのため、万人にフィットして揉みほぐしにくい首の筋肉（斜角筋）をリラックスさせ、快適な睡眠を提供することができるという顕著な効果を奏する。
【００２４】
また、本考案の枕１は、空洞部１０と、凸部７及び凹部８の作用により、複合素材（他素材の充填物やスプリング等）を用いることなく、シンプルな構成で安価に、優れたクッション性を出すことができる。加えて、枕１に頚部及び頭部が載って荷重がかかると、枕頭部４に当接していた切れ目６ａ（特に、切れ目６ａの下縁部６ｂ側）が枕頭部４から離反し、空洞部１０が収縮し易くなるので、更にクッション性がよくなる。しかも、「柔らか層」と「しっかり層」の２段階構造で、頚部及び頭部を載せた時に過度に沈み込むことがなく、適度なクッション性を出すことも可能となる。
【００２５】
また、空洞部１０により湿気がこもりにくく、更に、凹部８により頚部及び頭部と枕１との間に熱がこもるのを防止するので、これにより極めて通気性がよい枕１を提供でき、その結果、枕芯材２の素材に合成樹脂フォームを使用した場合であっても、夏場に汗が溜まって使用者が不快になるといことを防止することが可能となる。
【００２６】
以上、本考案の枕１を図面に基づいて説明してきたが、具体的な構成は実施形態に示したものに限定されるものではなく、本考案の要旨を逸脱しない範囲における変更や追加などがあっても本考案に含まれる。例えば、上述した実施形態において、枕芯材２に後からくり抜くように空洞部１０を穿設し、切れ目６ａをなくすように構成してもよい。また、この場合には、空洞部１０は、複数あってもよい。
【００２７】
また、上述した実施形態の枕芯材２の表面には、全面に亘って凸部７及び凹部８が設けられているが、これに限らず、左右両端に沿った部分を除いた領域や、枕頭部４側の端部に沿った部分を除いた領域に、凸部７及び凹部８が設けられていても良い。このような場合であっても、同様の効果を奏することができる。
【符号の説明】
【００２８】
１…枕、  ２…枕芯材、
３…カバー体、  ４…枕頭部、
４ａ…下縁部、  ５…枕首部、
６…折曲部、  ６ａ…切れ目、
６ｂ…下縁部、  ７…凸部、
８…凹部、  ９…こぶ部、
１０…空洞部。
【図１】
0003181090.tif 000003
【図２】
0003181090.tif 000004
【図３】
0003181090.tif 000005